(57)【特許請求の範囲】
【請求項１】
緯入れ用メインノズルの噴射作用によって緯糸を経糸開口内へ射出して緯入れするジェットルームにおいて、
織布に織り込まれた不要緯糸を牽引するためのエア流を非製織時に発生する緯糸分離手段と、
織布の織幅方向における織前の延長領域から後方へ前記緯糸分離手段の緯糸牽引作用領域を移動させる移動手段とを備え、
前記緯糸分離手段は、緯糸を緯入れするための緯糸案内通路から緯糸捕捉通路内へ緯糸を導入してエア流により牽引して捕捉する緯糸張力付与手段であり、
前記緯糸分離手段は、緯入れされた緯糸を織布の織前に打ち込む筬と一体的に動き、前記移動手段は、前記筬を駆動する筬駆動手段であり、
前記緯糸張力付与手段は、圧力の異なる２つのエア源からエアを得るようになっており、製織時には高圧側の前記エア源から前記緯糸張力付与手段にエアを供給し、非製織時に前記緯糸張力付与手段を緯糸分離手段として使用する場合には、前記緯糸牽引作用領域が織前付近にある時点では低圧側の前記エア源から前記緯糸張力付与手段にエアを供給するとともに、前記緯糸牽引作用領域が織前付近から後退した時点では高圧側の前記エア源から前記緯糸張力付与手段にエアを供給するようにしたジェットルームにおける緯糸処理装置。
【発明の詳細な説明】
【０００１】
【発明の属する技術分野】
本発明は、緯入れ用メインノズルの噴射作用によって緯糸を経糸開口内へ射出して緯入れするジェットルームにおける緯糸処理方法及び装置に関するものである。
【０００２】
【従来の技術】
織布に織り込まれ、かつ緯入れ用メインノズルから切断分離された緯糸は、特開平５−８６５５６号公報、特開平１０−４６４４６号公報に開示される緯糸除去装置を用いて織布から除去可能である。特開平５−８６５５６号公報の装置では、一対の把持部材により緯糸を把持して後退させ、一対の把持部材の前進動作中に緯糸の先端部をサクションパイプに吸引させて緯糸の除去を行なう。特開平１０−４６４４６号公報の装置では、反給糸側に配置された引き離し用ノズルの噴射作用によって緯糸の一部を織前から引き離し、引き離された緯糸端部をサブノズルの噴射作用領域まで到達させると共に、前記サブノズルの噴射作用によって前記緯糸端部を吸引ノズルに吸引させて緯糸の除去を行なう。
【０００３】
【発明が解決しようとする課題】
しかし、特開平５−８６５５６号公報の緯糸除去装置では、把持部材の前進動作で緯糸を解放し、把持部材の後退動作で緯糸を把持するという動作を行なう機械的な把持機構が複雑になるという欠点がある。
【０００４】
特開平１０−４６４４６号公報の緯糸除去装置では、緯糸の除去に全てエア流を使うために特開平５−８６５５６号公報の装置のような欠点は生じない。しかし、引き離し用ノズルを用いた緯糸除去装置では以下のような欠点がある。
【０００５】
引き離し用ノズルの噴射方向は、織布側から織前を通るように経糸開口側を向いている。引き離し用ノズルの噴射方向は、織布面に沿って織前を通る方向が最適であるが、織布が存在するためにこのような噴射方向の設定はできない。即ち、引き離し用ノズルの噴射方向を最適設定することができない。従って、引き離し用ノズルの噴射方向は、織布面に対して傾斜することになるが、この傾斜程度の調整が微妙であって難しい。
【０００６】
引き離し用ノズルからの噴射エアは、経糸列の上方から経糸開口内へ進入して緯糸の一部を織前から引き離すように作用するが、経糸列が引き離し用ノズルからの噴射エアの引き離し作用を弱める。そのため、緯糸の一部が織前から引き離されたとしても、サブノズルの噴射作用領域まで緯糸端部が到達するほどに十分に織前から緯糸を引き離せないおそれがある。
【０００７】
又、密度の高い織物や、毛足の長い糸を使った織物の場合には、引き離し用ノズルの噴射作用では織前から緯糸を引き離すことは非常に難しい。
本発明は、織布に織り込まれ、かつ緯入れ用メインノズルから切断分離された不要緯糸をエア流のみで除去する上での信頼性を向上することを目的とする。
【０００８】
【課題を解決するための手段】
そのために本発明は、緯入れ用メインノズルの噴射作用によって緯糸を経糸開口内へ射出して緯入れするジェットルームを対象とし、請求項１の発明では、織布に織り込まれた不要緯糸を牽引するためのエア流を非製織時に発生する緯糸分離手段と、織布の織幅方向における織前の延長領域から後方へ前記緯糸分離手段の緯糸牽引作用領域を移動させる移動手段とを備え、前記緯糸分離手段は、緯糸を緯入れするための緯糸案内通路から緯糸捕捉通路内へ緯糸を導入してエア流により牽引して捕捉する緯糸張力付与手段であり、前記緯糸分離手段は、緯入れされた緯糸を織布の織前に打ち込む筬と一体的に動き、前記移動手段は、前記筬を駆動する筬駆動手段であり、前記緯糸張力付与手段は、圧力の異なる２つのエア源からエアを得るようになっており、製織時には高圧側の前記エア源から前記緯糸張力付与手段にエアを供給し、非製織時に前記緯糸張力付与手段を緯糸分離手段として使用する場合には、前記緯糸牽引作用領域が織前付近にある時点では低圧側の前記エア源から前記緯糸張力付与手段にエアを供給するとともに、前記緯糸牽引作用領域が織前付近から後退した時点では高圧側の前記エア源から前記緯糸張力付与手段にエアを供給するようにした。
【００１２】
緯糸牽引作用領域は移動手段によって延長領域から経糸開口側へ遠ざけられる。延長領域から経糸開口側へ遠ざけられる緯糸牽引作用領域に晒されている不要緯糸は、織前から分離し易くなる。また、緯糸張力付与手段を緯糸分離手段とした構成は簡便である。また、織布に織り込まれた織前付近の緯糸の前記延長領域側の端部は、経糸の把持作用から解放されていない緯糸についても前記緯糸牽引作用領域に晒される。経糸の把持作用から解放されていない緯糸端部を強い牽引力で牽引すると、織布端部の組織が崩れる。経糸の把持作用から解放されている不要緯糸を除去するときに緯糸分離手段に供給されるエア圧を低くすれば、経糸の把持作用から解放されていない緯糸端部を牽引する力が弱くなり、織布端部の組織崩れを防止することができる。
【００１４】
緯糸分離手段と筬とを一体的に動くようにした構成は、緯糸分離手段の緯糸牽引作用領域を織前側から経糸開口側へ移動する上で簡便である。
【００１７】
【発明の実施の形態】
以下、本発明を具体化した第１の実施の形態を図１〜図１２に基づいて説明する。
【００１８】
図１（ａ）に示すように、スレイ１１上には緯入れ用メインノズル１２が設置されており、緯糸Ｙが緯入れ用メインノズル１２の噴射作用によって経糸Ｔの開口内へ射出される。スレイ１１には変形筬１４が立設されている。経糸Ｔの開口内へ射出された緯糸Ｙは、複数の緯入れ用補助ノズル１３の緯入れ始端側から緯入れ末端側へのリレー噴射によって変形筬１４前面の緯糸案内通路１４１（図１（ｂ）及び図２に図示）内を飛走する。緯入れ用メインノズル１２の噴射経路の直下にはブローノズル１５が設置されている。ブローノズル１５の噴射方向は緯入れ用メインノズル１２の噴射経路と交差している。緯入れ用メインノズル１２、緯入れ用補助ノズル１３及びブローノズル１５は、電磁開閉弁１６，１７，１８を介して図示しない圧力エア供給源に接続されている。電磁開閉弁１６，１７，１８は織機制御コンピュータＣｏの励消磁制御を受ける。
【００１９】
緯入れ用メインノズル１２及び変形筬１４を支持するスレイ１１は、図示しないスレイソードを介して図示しない揺動軸に支持されている。前記揺動軸は織機駆動モータＭｏから往復駆動機構を介して駆動力を得て往復回動する。前記揺動軸の往復回動によって変形筬１４が往復揺動の筬打ち運動を行なう。織機駆動モータＭｏは織機制御コンピュータＣｏの制御を受ける。
【００２０】
図１（ａ）に示すように、緯入れ用メインノズル１２に供給される緯糸Ｙは巻付方式の緯糸測長貯留装置３１に通されている。その糸巻付管３１１は巻付モータ３１２により回転駆動される。糸巻付管３１１の回転に伴って糸巻付管３１１から繰り出される緯糸は、電磁ソレノイド３２によって駆動される係止ピン３２１と糸巻付面３１３との係脱によって糸巻付面３１３からの引き出しを制御される。
【００２１】
糸巻付面３１３の近傍には反射式光電センサ型の緯糸解舒検出器３３が設置されている。緯糸解舒検出器３３から出力される解舒検出信号は織機制御コンピュータＣｏに送られる。織機制御コンピュータＣｏは、緯糸解舒検出器３３からの緯糸解舒情報及び織機回転角度検出用のロータリエンコーダ２３からの織機回転角度情報に基づいて電磁ソレノイド３２の励消磁を制御する。この励消磁制御によって糸巻付面３１３と係止ピン３２１との係合及び糸巻付面３１３からの係止ピン３２１の離間が行われ、糸巻付面３１３からの巻付緯糸の引出し解舒及び解舒阻止が行われる。糸巻付面３１３上の巻付緯糸は、緯入れ用メインノズル１２の噴射作用によって経糸Ｔの開口内へ射出される。
【００２２】
図１（ａ）に示すように、緯入れ末端側には緯糸検出器１９が設置されている。図２に示すように緯糸検出器１９の検出領域１９１は緯糸案内通路１４１と同じ経路上に設定されている。緯入れが正常に行われた場合には緯糸Ｙの先端は緯糸検出器１９の検出領域１９１まで到達する。緯入れが正常に行われた場合、即ち緯糸検出器１９が緯糸の到達有りを検出した場合には、織機制御コンピュータＣｏは筬打ち後に電磁カッター２２に切断動作を行わせる。変形筬１４によって織布Ｗの織前Ｗ１に筬打ちされた緯糸Ｙは電磁カッター２２の切断動作によって切断される。織機制御コンピュータＣｏは、ロータリエンコーダ２３からの角度検出情報に基づいて織機の回転角度を把握している。織機制御コンピュータＣｏは、緯糸検出器１９が織機１回転中の所定期間内に緯糸を検出しない場合には緯入れ異常と判断し、電磁開閉弁１６，１７、電磁カッター２２及び電磁ソレノイド３２の励消磁制御を停止するとともに、織機駆動モータＭｏ及び巻付モータ３１２の作動を停止する。
【００２３】
図２に示すように、緯糸検出器１９の側方にはノズルブロック３４が立設されている。ノズルブロック３４には導入凹部３４１が形成されている。導入凹部３４１は緯糸案内通路１４１の延長線上にある。導入凹部３４１の下面にはストレッチノズル３４２が設けられている。ストレッチノズル３４２は電磁開閉弁３５を介して前記圧力エア供給源に接続されている。ノズルブロック３４の上部には捕捉パイプ３６が取り付けられている。図３に示すように、捕捉パイプ３６は導入凹部３４１に連なるように貫通しており、捕捉パイプ３６の導入口とストレッチノズル３４２とが対向している。ストレッチノズル３４２からのエア噴射流は、導入凹部３４１を横切って捕捉パイプ３６内に吹き込む。捕捉パイプ３６の導入口と反対側の開口は図示しない緯糸回収部に接続されている。
【００２４】
電磁開閉弁３５は織機制御コンピュータＣｏの励消磁制御を受ける。織機制御コンピュータＣｏは緯糸の緯入れタイミングに合わせて電磁開閉弁３５を励消磁制御する。電磁開閉弁３５は、緯糸が導入凹部３４１に到達する前から励磁され、筬打ち前に消磁される。正常に緯入れされた場合には、緯糸Ｙの先端部はストレッチノズル３４２からのエア噴射作用によって捕捉パイプ３６内へ吹き入れられる。捕捉パイプ３６内へ吹き入れられた緯糸Ｙはエア流によって適度の張力を付与される。即ち、電磁開閉弁３５、ストレッチノズル３４２及び捕捉パイプ３６は、緯糸張力付与手段を構成する。
【００２５】
図９〜図１２は、緯入れミスが発生した場合の織機制御コンピュータＣｏによって遂行される緯糸処理制御プログラムを表すフローチャートである。以下、このフローチャートに基づいて緯糸処理制御を説明する。
【００２６】
緯入れミスが発生すると、織機制御コンピュータＣｏは織機駆動モータＭｏの作動停止を指令すると共に、電磁開閉弁１８の励磁を指令し、ブローノズル１５が噴射する。そして、電磁ソレノイド３２が励磁し、係止ピン３２１が糸巻付面３１３から離間する。係止ピン３２１が糸巻付面３１３から離間することによって糸巻付面３１３上の巻糸が係止ピン３２１の係止作用から解放される。係止ピン３２１の係止作用から解放された巻糸は、後続緯糸Ｙｅに対するブローノズル１５の噴射作用によって糸巻付面３１３から引き出し解舒される。緯糸解舒検出器３３がこの引き出し解舒を検出しており、巻糸が１巻引き出し解舒されると、電磁ソレノイド３２が消磁する。この消磁により係止ピン３２１が糸巻付面３１３に係合し、糸巻付面３１３からの巻糸の引き出し解舒が阻止される。図１（ａ）に示すように、ブローノズル１５の噴射作用は、緯入れミスしたミス糸Ｙｍに後続する緯糸Ｙｅを電磁カッター２２の切断領域から外れた位置に遠ざける。ミス糸Ｙｍは織前Ｗ１に筬打ちされる。織機は、図１（ｂ）に示すように変形筬１４がミス糸Ｙｍを筬打ちした後の次の筬打ちの直前で停止する。
【００２７】
次いで、織機制御コンピュータＣｏは、織機駆動モータＭｏの所定量スロー逆転を指令する。織機駆動モータＭｏの所定量スロー逆転により織機が１回半ほど逆転する。織機の１回半ほどの逆転によりスレイ１１が図４（ａ）に示すように最後退位置（織機回転角度θ＝１８０°）に移行し、図４（ｂ）に示すように変形筬１４が最後退位置に移行すると共に、経糸Ｔの開口が織布Ｗの織前Ｗ１からミス糸Ｙｍを除去可能な最大開口となる。
【００２８】
次いで、電磁開閉弁１８は消磁し、ブローノズル１５の噴射が停止する。又、電磁開閉弁１６，１７，１８が励磁し、緯入れ用メインノズル１２、緯入れ用補助ノズル１３及びストレッチノズル３４２が噴射する。後続緯糸Ｙｅはミス糸Ｙｍに繋がったままであり、後続緯糸Ｙｅは緯入れ用メインノズル１２、緯入れ用補助ノズル１３及びストレッチノズル３４２の噴射作用を受ける。この噴射作用によって後続緯糸Ｙｅが緯入れ方向へ牽引力を受け、経糸Ｔの把持作用を受けているミス糸Ｙｍが前記牽引力によって後続緯糸Ｙｅに続いて織前Ｗ１から分離され、緯糸案内通路１４１上に引き出される。
【００２９】
電磁ソレノイド３２が消磁した後、緯糸検出器１９は検出領域１９１内における緯糸の有無を検出している。ミス糸Ｙｍが織前Ｗ１から分離されたならば、ミス糸Ｙｍの先端部は導入凹部３４１に到達する。ミス糸Ｙｍが織前Ｗ１から分離されなかったならば、ミス糸Ｙｍの先端部は導入凹部３４１に到達しない。緯糸検出器１９が緯糸有りを検出しない状態が所定時間ｔ１経過すると、織機制御コンピュータＣｏは電磁開閉弁１６，１７，３５の消磁を指令し、緯入れ用メインノズル１２、緯入れ用補助ノズル１３及びストレッチノズル３４２が噴射を停止する。そして、織機制御コンピュータＣｏは警報装置２０の作動を指令し、警報装置２０が作動する。
【００３０】
緯糸検出器１９が所定時間ｔ１以内に緯糸有りを検出すると、電磁開閉弁１６，１７，３５が消磁し、緯入れ用メインノズル１２、緯入れ用補助ノズル１３及びストレッチノズル３４２の噴射が停止する。次いで、織機駆動モータＭｏが所定量スロー正転し、図５（ｂ）に示すように、変形筬１４が筬打ち位置（織機回転角度θ＝０°，３６０°）付近へ移行する。そして、電磁カッター２２が励消磁し、電磁カッター２２が切断動作を行なう。後続緯糸Ｙｅは、電磁カッター２２の切断動作によって緯入れ用メインノズル１２から切断分離される。
【００３１】
電磁カッター２２の励消磁後、織機駆動モータＭｏが所定量スロー逆転し、織機が半回転逆転する。織機の逆転によりスレイ１１が図５（ａ）に鎖線で示すように最後退位置に移行し、図５（ｂ）に鎖線で示すように変形筬１４が最後退位置に移行すると共に、経糸Ｔの開口が最大開口となる。この最大開口状態は、ミス糸Ｙｍを織前Ｗ１から除去可能な状態である。この最大開口形成後、電磁開閉弁３５を励磁してストレッチノズル３４２を噴射させることでミス糸Ｙｍを吸引除去し、緯糸検出器１９が所定時間ｔ２以内に緯糸無しを検出しない場合には、織機制御コンピュータＣｏは電磁開閉弁３５の消磁を指令し、ストレッチノズル３４２が噴射を停止する。そして、織機制御コンピュータＣｏは警報装置２０の作動を指令し、警報装置２０が作動する。
【００３２】
緯糸検出器１９が所定時間ｔ２以内に緯糸無しを検出すると、電磁開閉弁３５が消磁し、ストレッチノズル３４２の噴射が停止する。次いで、織機駆動モータＭｏが所定量スロー逆転し、織機が半回転逆転する。織機の半回転逆転により図６（ｂ）に示すように、変形筬１４が筬打ち位置へ移行する。そして、電磁開閉弁３５が励磁し、ストレッチノズル３４２が噴射する。ストレッチノズル３４２の噴射エアは、織布Ｗの織幅方向における織前Ｗ１の延長領域Ｗ２を通過する。図６（ａ）に示すように、緯入れ末端側の延長領域Ｗ２にはミス糸Ｙｍに先行して緯入れされた緯糸Ｙｂの端部Ｙｂ１が織布端から延在しており、先行緯糸Ｙｂの端部Ｙｂ１がストレッチノズル３４２の噴射作用を受ける。即ち、延長領域Ｗ２に延在する先行緯糸Ｙｂの端部Ｙｂ１は、ストレッチノズル３４２の噴射作用に晒される。
【００３３】
先行緯糸Ｙｂの緯入れ末端側の端部Ｙｂ１は、ストレッチノズル３４２の噴射作用を受けて捕捉パイプ３６内へ引き入れられようとする。変形筬１４が筬打ち位置にあるときに先行緯糸Ｙｂの端部Ｙｂ１が捕捉パイプ３６内へ引き入れられた場合には、端部Ｙｂ１は緯糸検出器１９の検出領域１９１を通っている。端部Ｙｂ１が緯糸検出器１９の検出領域１９１を通っていれば、緯糸検出器１９が緯糸有りを検出する。ストレッチノズル３４２の噴射後、緯糸検出器１９が所定時間ｔ１以内に緯糸有りを検出しない場合には、織機制御コンピュータＣｏは電磁開閉弁３５の消磁を指令し、ストレッチノズル３４２が噴射を停止する。そして、織機制御コンピュータＣｏは警報装置２０の作動を指令し、警報装置２０が作動する。
【００３４】
緯糸検出器１９が所定時間ｔ１以内に緯糸有りを検出した場合には、織機制御コンピュータＣｏは織機駆動モータＭｏのスロー逆転を指令する。これによりストレッチノズル３４２が噴射している状態で織機駆動モータＭｏがスロー逆転してゆき、変形筬１４が筬打ち位置から最後退位置に向けて移行してゆくと共に、経糸Ｔの開口が織布Ｗの織前Ｗ１から先行緯糸Ｙｂを除去可能な最大開口へと移行してゆく。織機駆動モータＭｏのスロー逆転の途中で織機回転角度θが所定角度θｓになると、図７（ａ）に示すように電磁開閉弁１７が緯入れ末端側から緯入れ始端側への逆リレー励消磁を行ない、緯入れ用補助ノズル１３が緯入れ末端側から緯入れ始端側へ逆リレー噴射する。織機回転角度θが所定角度θｓになったときには、図７（ｂ）に示すように緯入れ用補助ノズル１３の先端部が経糸Ｔの開口内に入り込んでおり、緯入れ用補助ノズル１３の噴射は経糸開口内で行われる。織機回転角度θが１８０°になると織機駆動モータＭｏのスロー逆転が停止し、変形筬１４が最後退位置に配置されると共に、経糸Ｔの開口が先行緯糸Ｙｂを織前Ｗ１から除去可能な最大開口となる。
【００３５】
図８（ｂ）に示すように変形筬１４が最後退位置に移行した後、緯糸検出器１９が緯糸無しを検出しない状態が所定時間ｔ２経過（即ち、先行緯糸Ｙｂが織前Ｗ１から除去されなかった場合）すると、織機制御コンピュータＣｏは電磁開閉弁３５の消磁を指令し、ストレッチノズル３４２が噴射を停止する。そして、織機制御コンピュータＣｏは警報装置２０の作動を指令し、警報装置２０が作動する。
【００３６】
緯糸検出器１９が所定時間ｔ２以内に緯糸無しを検出した場合（即ち、図８（ａ）に示すように先行緯糸Ｙｂが織前Ｗ１から除去された場合）、織機制御コンピュータＣｏは電磁開閉弁３５の消磁を指令し、ストレッチノズル３４２が噴射を停止する。ミス糸Ｙｍに先行する緯糸の除去本数が所定本数ｎに達しない場合には、織機制御コンピュータＣｏは先行緯糸Ｙｂに対する緯糸処理と同じ処理を織前Ｗ１上の緯糸に対して遂行する。ミス糸Ｙｍに先行する緯糸の除去本数が所定本数ｎに達した場合には、織機制御コンピュータＣｏは、織機駆動モータＭｏの所定量スロー逆転を指令し、織機が製織再開に適した回転位置に移行する。そして、製織が再開される。
【００３７】
第１の実施の形態では以下の効果が得られる。
（１-1）先行緯糸Ｙｂの織前Ｗ１からの除去は、ミス糸Ｙｍの筬打ちによって先行緯糸Ｙｂの織り込み状態が変化して織り傷となってしまうような場合に行われる。先行緯糸Ｙｂより先に緯入れされた緯糸の織り込み状態がミス糸Ｙｍの筬打ちによって変化して織り傷となってしまう場合には、先行緯糸Ｙｂより先に緯入れされた緯糸も織前Ｗ１から除去する必要がある。実施の形態でｎ＝１とすれば、緯入れ用メインノズル１２から分離している不要緯糸は先行緯糸Ｙｂのみとなる。経糸Ｔの把持作用から解放された不要緯糸である織前Ｗ１上の先行緯糸Ｙｂの端部Ｙｂ１は、織布Ｗの織幅方向における織前Ｗ１の延長領域Ｗ２でストレッチノズル３４２の噴射作用（即ち、緯糸牽引作用）に晒される。ストレッチノズル３４２及び捕捉パイプ３６を含む緯糸分離手段の緯糸牽引作用領域は、延長領域Ｗ２から経糸開口側（織機の後方側）へ移動し、先行緯糸Ｙｂの端部Ｙｂ１は、緯糸分離手段の緯糸牽引作用及び緯糸牽引作用領域の移動に基づいて織前Ｗ１から経糸開口側への牽引作用を受ける。このような牽引作用は、先行緯糸Ｙｂを織前Ｗ１から分離し易くする。
【００３８】
（１-2）緯糸分離手段の緯糸牽引作用領域が延長領域Ｗ２から経糸開口側へ移行するとき、即ち変形筬１４が織前Ｗ１から経糸開口側へ遠ざかるときには、経糸Ｔの開口が大きくなってゆき、先行緯糸Ｙｂに対する経糸Ｔの把持作用が弱まってゆく。変形筬１４が筬打ち位置にあるときには、経糸Ｔは図６（ｂ）に示すように略閉口状態にあり、先行緯糸Ｙｂは経糸Ｔの把持作用をある程度受けている。この状態では先行緯糸Ｙｂの織前Ｗ１からの除去は難しい。先行緯糸Ｙｂに対する経糸Ｔの把持作用を弱めつつ前記牽引作用を先行緯糸Ｙｂに付与する構成は、織前Ｗ１からの先行緯糸Ｙｂの分離の確実性を高める。
【００３９】
（１-3）緯糸分離手段を構成するストレッチノズル３４２及び捕捉パイプ３６は、変形筬１４を支持するスレイ１１上にあり、緯糸分離手段と変形筬１４とは一体的に動く。緯糸分離手段の緯糸牽引作用領域を動かすには、筬駆動手段を構成する織機駆動モータＭｏの作動を制御すればよく、このような制御は容易である。従って、緯糸分離手段と変形筬１４とを一体的に動くようにした構成は、緯糸分離手段の緯糸牽引作用領域を織前Ｗ１側から経糸開口側へ移動する上で簡便である。
【００４０】
（１-4）ストレッチノズル３４２、捕捉パイプ３６及び電磁開閉弁３５は、製織時に緯糸を緯入れするための緯糸案内通路１４１から緯糸捕捉通路となる捕捉パイプ３６内へ緯糸を導入してエア流により牽引して捕捉する緯糸張力付与手段を構成する。製織に用いられる緯糸張力付与手段を緯糸分離手段とした構成は、専用の緯糸分離手段を用いない簡便な構成である。
【００４１】
（１-5）先行緯糸Ｙｂを織前Ｗ１から分離する際に行われる緯入れ用補助ノズル１３の噴射は、先行緯糸Ｙｂを織前Ｗ１から分離し易くする。
（１-6）先行緯糸Ｙｂを織前Ｗ１から分離する際に行われる緯入れ用補助ノズル１３の逆リレー噴射は、先行緯糸Ｙｂの織前Ｗ１から分離された部分に緯入れ用補助ノズル１３のエア噴射を作用させることになる。織前Ｗ１から分離された側から先行緯糸Ｙｂに緯入れ用補助ノズル１３のエア噴射を順次作用させる構成は、先行緯糸Ｙｂを織前Ｗ１から分離し易くする。
【００４２】
次に、図１３（ａ），（ｂ）の第２の実施の形態を説明する。第１の実施の形態と同じ構成部には同じ符号が付してある。
電磁開閉弁３５を介して圧力エア供給源２１に接続されているストレッチノズル３４２は、逆止弁２４及び電磁開閉弁２５を介して別の圧力エア供給源２６にも接続されている。圧力エア供給源２６の圧力は圧力エア供給源２１の圧力よりも低圧にしてある。逆止弁２４は圧力エア供給源２１から圧力エア供給源２６側への流入を防止する。電磁開閉弁２５は織機制御コンピュータＣｏの励消磁制御を受ける。図１３（ｂ）は、ミス糸処理作動時の励消磁タイミングを表し、曲線Ｅ１は電磁開閉弁３５の励消磁タイミングを表し、曲線Ｅ２は電磁開閉弁２５の励消磁タイミングを表す。横軸は織機回転角度を表す。製織時には電磁開閉弁３５が図示しない任意のタイミングで励消磁制御され、先行緯糸Ｙｂの除去処理時には電磁開閉弁２５がまず励消磁制御され、電磁開閉弁２５の励消磁は曲線Ｅ２を左側から右側へ辿るように行われる。その直後、電磁開閉弁３５の励消磁が曲線Ｅ１を左側から右側へ辿るように行われる。
【００４３】
織布Ｗに織り込まれた織前Ｗ１付近の緯糸の延長領域Ｗ２側の端部は、経糸Ｔの把持作用から解放されていない緯糸、即ち先行緯糸Ｙｂより先に緯入れされた緯糸Ｙｃについても緯糸分離手段の緯糸牽引作用領域に晒される。経糸Ｔの把持作用から解放されていない緯糸Ｙｃの端部Ｙｃ１を強い牽引力で牽引すると、織布端部の組織が崩れる。先行緯糸Ｙｂの除去時初期には圧力エア供給源２６側の低圧の圧力エアがストレッチノズル３４２に供給されるため、経糸の把持作用から解放されていない緯糸Ｙｃの端部Ｙｃ１を牽引する力が弱くなる。そのため、緯糸Ｙｃの端部Ｙｃ１の牽引のし過ぎに起因する織布端部の組織崩れを防止することができる。
【００４４】
次に、図１４及び図１５の第３の実施の形態を説明する。第１の実施の形態と同じ構成部には同じ符号が付してある。
図１４に示すように、スレイ１１の前面には緯糸検出器２７が緯入れ方向の取り付け位置調整可能に取り付け固定されている。緯糸検出器２７は緯糸Ｙの到達有無を検出する。スレイ１１の前面にはストレッチノズル２８が緯入れ方向の取り付け位置調整可能に締め付け固定されている。ストレッチノズル２８の噴射口２８１（図１５（ｂ）に図示）は緯糸案内通路１４１と直交する方向を指向しており、ストレッチノズル２８からの噴射エアは緯糸案内通路１４１を横切る。
【００４５】
変形筬１４の後ろ側には緯糸捕捉パイプ２９が配設されている。緯糸捕捉パイプ２９は、図示しない掛け止め部材を介して変形筬１４の上枠１４２に掛け止め支持されている。緯糸捕捉パイプ２９の導入部２９１には差し込み突起３０が止着されている。差し込み突起３０は変形筬１４の筬羽１４３間に差し込まれ、この差し込みによって筬羽１４３間が拡開される。緯糸捕捉パイプ２９の導入口２９２は前記拡開された筬羽１４３間に対向する。緯糸捕捉パイプ２９は変形筬１４に対して緯入れ方向の任意位置に取り付け可能である。
【００４６】
図１５（ｂ）に示すように、導入口２９２はストレッチノズル２８の噴射口２８１と対向しており、ストレッチノズル２８からの噴射エアは導入口２９２を介して緯糸捕捉パイプ２９内に吹きこまれる。ストレッチノズル２８の噴射は、緯糸Ｙの先端部が導入口２９２の前方に到達する前に開始される。緯糸案内通路１４１を飛走して導入口２９２の前方に到達した緯糸Ｙの先端部は、ストレッチノズル２８の噴射によって緯糸捕捉パイプ２９内に吹き入れられる。
【００４７】
図１５（ａ）に示すように緯入れミスが発生すると、織機制御コンピュータＣｏは、第１の実施の形態と同様にミス糸Ｙｍの除去を行なった後、第１の実施の形態と同様に先行緯糸Ｙｂの除去処理を行なう。先行緯糸Ｙｂの除去処理の際には電磁開閉弁３５は第１の実施の形態の場合と同様に励消磁制御され、ストレッチノズル２８が第１の実施の形態の場合と同様にエア噴射を行なう。
【００４８】
電磁開閉弁３５、ストレッチノズル２８及び緯糸捕捉パイプ２９は緯糸分離手段を構成し、この緯糸分離手段の緯糸牽引作用領域は、先行緯糸Ｙｂの除去処理時には織布Ｗの織幅方向における織前Ｗ１の延長領域Ｗ２から経糸開口側へ移行する。
【００４９】
第３の実施の形態においても第１の実施の形態における（１-1）項〜（１-6）項と同じ効果が得られる。
本発明では以下のような実施の形態も可能である。
（１）第１〜第３の実施の形態において、不要緯糸の除去時にはストレッチノズル３４２，２８を間欠噴射させること。このような間欠噴射は、織前Ｗ１からの不要緯糸の分離に有効である。
（２）第１〜第３の実施の形態において、緯糸分離手段によって不要緯糸を把持した状態で変形筬１４を少なくとも１回は前後動させること。経糸開口側から織前Ｗ１側への変形筬１４の移動は、織前Ｗ１から分離している不要緯糸を把持パイプ内に吸い込んで織前Ｗ１から分離している不要緯糸の経路の短縮化を促す。このような経路長の変化は織前Ｗ１からの不要緯糸の分離に有効である。
（３）第１〜第３の実施の形態において、不要緯糸の除去時には緯入れ用補助ノズル１３を一斉に噴射させること。
（４）第１〜第３の実施の形態において、不要緯糸の除去時には緯入れ用補助ノズル１３を間欠噴射させること。
（５）緯糸張力付与手段とは別の緯糸分離手段をスレイ１１に取り付けること。
（６）筬駆動手段とは別の移動手段によって緯糸分離手段の緯糸牽引作用領域を動かすようにすること。
【００５０】
【発明の効果】
以上詳述したように本発明では、織布の織幅方向における織前の延長領域に延在する不要緯糸の端部を緯糸分離手段の緯糸牽引作用に晒し、その後、前記緯糸牽引作用領域を前記延長領域から後方へ移動させて前記不要緯糸を織前から分離するようにしたので、織布に織り込まれ、かつ緯入れ用メインノズルから切断分離された不要緯糸をエア流のみで除去する上での信頼性を向上し得るという優れた効果を奏する。
【図面の簡単な説明】
【図１】第１の実施の形態を示し、（ａ）は制御ブロック図を組み込んだ略体平面図。（ｂ）は（ａ）に対応する変形筬の位置を示す側面図。
【図２】緯糸分離手段を示す斜視図。
【図３】緯糸分離手段を示す側断面図。
【図４】（ａ）はミス糸を除去可能な最大開口状態を示す略体平面図。（ｂ）は（ａ）に対応する変形筬の位置を示す側面図。
【図５】（ａ）は後続緯糸を緯入れ用メインノズルから切断分離する状態を示す略体平面図。（ｂ）は（ａ）に対応する変形筬の位置を示す側面図。
【図６】（ａ）は先行緯糸の端部を緯糸分離手段の緯糸牽引作用領域に晒す状態を示す略体平面図。（ｂ）は（ａ）に対応する変形筬の位置を示す側面図。
【図７】（ａ）は緯入れ用補助ノズルの逆リレー噴射開始状態を示す略体平面図。（ｂ）は（ａ）に対応する変形筬の位置を示す側面図。
【図８】（ａ）は先行緯糸を織前から除去した状態を示す略体平面図。（ｂ）は（ａ）に対応する変形筬の位置を示す側面図。
【図９】緯糸処理制御プログラムを示すフローチャート。
【図１０】緯糸処理制御プログラムを示すフローチャート。
【図１１】緯糸処理制御プログラムを示すフローチャート。
【図１２】緯糸処理制御プログラムを示すフローチャート。
【図１３】第２の実施の形態を示し、（ａ）は制御ブロック図を組み込んだ略体平面図。（ｂ）は電磁開閉弁３５，２５の励消磁を示すタイミングチャート。
【図１４】第３の実施の形態を示す斜視図。
【図１５】（ａ）は制御ブロック図を組み込んだ略体平面図。（ｂ）は緯糸分離手段の一部破断要部正面図。
【符号の説明】
１１…スレイ。１２…緯入れ用メインノズル。１３…緯入れ用補助ノズル。１４…変形筬。２１，２６…圧力エア供給源。２８…緯糸分離手段となる緯糸張力付与手段を構成するストレッチノズル。２９…緯糸分離手段となる緯糸張力付与手段を構成する緯糸捕捉パイプ。３４２…緯糸分離手段となる緯糸張力付与手段を構成するストレッチノズル。３６…緯糸分離手段となる緯糸張力付与手段を構成する捕捉パイプ。Ｍｏ…移動手段となる筬駆動手段を構成する織機駆動モータ。Ｗ…織布。Ｗ１…織前。Ｗ２…延長領域。Ｙｂ…不要緯糸となる先行緯糸。Ｙｂ１…不要緯糸の端部。
【図１】
0003635994.tif 000002
【図２】
0003635994.tif 000003
【図３】
0003635994.tif 000004
【図４】
0003635994.tif 000005
【図５】
0003635994.tif 000006
【図６】
0003635994.tif 000007
【図７】
0003635994.tif 000008
【図８】
0003635994.tif 000009
【図９】
0003635994.tif 000010
【図１０】
0003635994.tif 000011
【図１１】
0003635994.tif 000012
【図１２】
0003635994.tif 000013
【図１３】
0003635994.tif 000014
【図１４】
0003635994.tif 000015
【図１５】
0003635994.tif 000016